(57)【要約】【課題】回路部を変更することなくチューナ部の数を増設できる余地があり、適用されたＩＣカードに対するアクセスが速やかに且つ的確になされ得るデジタル放送受信システムを得る。【解決手段】デジタル放送受信機（内部チューナ）と増設チューナとの双方からのＩＣカードコマンドをＩＣカードコマンド調停バッファ１７５に一時的に保持するについて、ＩＣカード調停プログラム１７６によって峻別して管理する。内部チューナからのアクセス要求も、増設チューナからのアクセス要求も、一義的にGUID+SUBID+コマンドという形でアクセス要求を行う。ＩＣカードコマンド調停バッファ１７５上のこのような形のレコードに依拠してコマンドの発信元である該当する増設チューナにＩＣカードレスポンスを送出する。【選択図】図２
2007201677.tif 000002
【特許請求の範囲】
【請求項１】
デジタル放送を受信し適用された表示器に該受信されたデジタル放送に係る表示を行うデジタル放送受信機と、前記デジタル放送受信機に適用される増設チューナとを含んで構成されるデジタル放送受信システムであって、
前記デジタル放送受信機および前記増設チューナは相互に通信を行うために接続可能な各対応する一の高速シリアルインターフェース部および他の高速シリアルインターフェース部を有し、
前記増設チューナは、テレビジョン信号を受信して該受信された信号からスクランブルが掛けられたトランスポートストリームを得るチューナ部と、前記チューナ部で得たトランスポートストリームからＥＣＭおよびＥＭＭを分離するデータ分離部と、前記データ分離部で分離されたＥＣＭおよびＥＭＭに基づいてＩＣカードコマンドを生成し、該ＩＣカードコマンドを前記他の高速シリアルインターフェース部および一の高速シリアルインターフェース部を通して前記デジタル放送受信機に適用されたＩＣカードに供給し、該ＩＣカードコマンドの供給に応じてＩＣカードから発せられる所定の暗号鍵を含むＩＣカードレスポンスを前記一の高速シリアルインターフェース部および他の高速シリアルインターフェース部を通して受け、該ＩＣカードレスポンス中の暗号鍵を抽出して出力する増設チューナ側のシステムコントローラと、当該暗号鍵の供給を受けて前記チューナ部で得たトランスポートストリームにスクランブル解除処理を施しスクランブルが解除されたトランスポートストリームを生成するデスクランブル処理部と、を備え、
前記デジタル放送受信機は、テレビジョン信号を受信して該受信された信号からスクランブルが掛けられたトランスポートストリームを得るチューナ部と、前記チューナ部で得たトランスポートストリームからＥＣＭおよびＥＭＭを分離するデータ分離部と、前記データ分離部で得たＥＣＭおよびＥＭＭに基づいてＩＣカードコマンドを生成し、該ＩＣカードコマンドを該当するＩＣカードに供給し、該ＩＣカードコマンドの供給に応じて前記ＩＣカードから発せられる所定の暗号鍵を含むＩＣカードレスポンス中の暗号鍵をデスクランブル処理部に供給し、前記デスクランブル処理部で該暗号鍵を用いて前記チューナ部で得たトランスポートストリームにスクランブル解除処理を施しスクランブルが解除されたトランスポートストリームを生成させるシステムコントローラと、を備え、且つ、前記システムコントローラは、前記増設チューナ側のシステムコントローラから前記他の高速シリアルインターフェース部および一の高速シリアルインターフェース部を通して供給されるＩＣカードコマンドと、前記データ分離部で得たＥＣＭおよびＥＭＭに基づいて自己の内部で生成されるＩＣカードコマンドとを調停して一時的に保持するためのＩＣカードコマンド調停バッファが設定されており、該調停に応じて、該当するＩＣカードコマンドを前記ＩＣカードに供給し、該ＩＣカードコマンドの供給に応じて前記ＩＣカードから発せられる所定の暗号鍵を含むＩＣカードレスポンスを当該デジタル放送受信機側のデスクランブル処理部または前記増設チューナ側のシステムコントローラに向けて選択的に供給するように構成されていることを特徴とするデジタル放送受信システム。
【請求項２】
自己の一の高速シリアルインターフェース部に適合する他の高速シリアルインターフェース部を有し自己のチューナ部およびデスクランブル処理部を有する増設チューナを接続可能になされ前記一の高速シリアルインターフェース部および他の高速シリアルインターフェース部が接続されたときにこれらの高速シリアルインターフェース部を通して前記増設チューナと相互に通信を行うことが可能に構成されたデジタル放送受信機であって、
テレビジョン信号を受信して該受信された信号からスクランブルが掛けられたトランスポートストリームを得るチューナ部と、前記チューナ部で得たトランスポートストリームからＥＣＭおよびＥＭＭを分離するデータ分離部と、前記データ分離部で得たＥＣＭおよびＥＭＭに基づいてＩＣカードコマンドを生成し、該ＩＣカードコマンドを該当するＩＣカードに供給し、該ＩＣカードコマンドの供給に応じて前記ＩＣカードから発せられる所定の暗号鍵を含むＩＣカードレスポンス中の暗号鍵をデスクランブル処理部に供給し、前記デスクランブル処理部で該暗号鍵を用いて前記チューナ部で得たトランスポートストリームにスクランブル解除処理を施しスクランブルが解除されたトランスポートストリームを生成させるシステムコントローラと、を備え、且つ、前記システムコントローラは、前記増設チューナ側のシステムコントローラから前記他の高速シリアルインターフェース部および一の高速シリアルインターフェース部を通して供給されるＩＣカードコマンドと、前記データ分離部で得たＥＣＭおよびＥＭＭに基づいて自己の内部で生成されるＩＣカードコマンドとを調停して一時的に保持するためのＩＣカードコマンド調停バッファが設定されており、該調停に応じて、該当するＩＣカードコマンドを前記ＩＣカードに供給し、該ＩＣカードコマンドの供給に応じて前記ＩＣカードから発せられる所定の暗号鍵を含むＩＣカードレスポンスを当該デジタル放送受信機側のデスクランブル処理部または前記増設チューナ側に向けて選択的に供給するように構成されていることを特徴とするデジタル放送受信機。
【請求項３】
自己が適合するデジタル放送受信機の一の高速シリアルインターフェース部に適合する他の高速シリアルインターフェース部を有し、前記一の高速シリアルインターフェース部および他の高速シリアルインターフェース部が接続されたときにこれらの高速シリアルインターフェース部を通して前記デジタル放送受信機と相互に通信を行うことが可能に構成された増設チューナであって、
テレビジョン信号を受信して該受信された信号からスクランブルが掛けられたトランスポートストリームを得るチューナ部と、前記チューナ部で得たトランスポートストリームからＥＣＭおよびＥＭＭを分離するデータ分離部と、前記データ分離部で分離されたＥＣＭおよびＥＭＭに基づいてＩＣカードコマンドを生成し、該ＩＣカードコマンドを前記他の高速シリアルインターフェース部および一の高速シリアルインターフェース部を通して前記デジタル放送受信機に適用されたＩＣカードに供給し、該ＩＣカードコマンドの供給に応じてＩＣカードから発せられる所定の暗号鍵を含むＩＣカードレスポンスを前記一の高速シリアルインターフェース部および他の高速シリアルインターフェース部を通して受け、該ＩＣカードレスポンス中の暗号鍵を抽出して出力する増設チューナ側のシステムコントローラと、当該暗号鍵の供給を受けて前記チューナ部で得たトランスポートストリームにスクランブル解除処理を施しスクランブルが解除されたトランスポートストリームを生成するデスクランブル処理部と、を備えていることを特徴とする増設チューナ。
【請求項４】
前記デジタル放送受信機のシステムコントローラは、前記ＩＣカードコマンドの調停処理を実行するためのＩＣカードコマンド調停プログラムに基づいて作動し得るようになされ、前記ＩＣカードコマンド調停プログラムは、前記ＩＣカードコマンド調停バッファへの書き込みに関する割り込みが発生したときに、当該ＩＣカードが自己へのＩＣカードコマンドの供給を受けて該供給に応答してＩＣカードレスポンスを発するに至らない期間を除いて、当該ＩＣカードコマンドを一時保持し、前記ＩＣカードコマンド調停バッファにおいてＧＵＩＤおよびＳＵＢＩＤが付加されたレコードとして管理されている当該ＩＣカードコマンドの発信元からの情報中のＧＵＩＤおよびＳＵＢＩＤに基づいて識別される発信元である該当するデスクランブル処理部に向けて、このＩＣカードコマンドに対応するＩＣカードレスポンスを供給するように構成されていることを特徴とする請求項１に記載のデジタル放送受信システム。
【請求項５】
前記システムコントローラは、前記ＩＣカードコマンドの調停処理を実行するためのＩＣカードコマンド調停プログラムに基づいて作動し得るようになされ、前記ＩＣカードコマンド調停プログラムは、前記ＩＣカードコマンド調停バッファへの書き込みに関する割り込みが発生したときに、当該ＩＣカードが自己へのＩＣカードコマンドの供給を受けて該供給に応答してＩＣカードレスポンスを発するに至らない期間を除いて、当該ＩＣカードコマンドを一時保持し、前記ＩＣカードコマンド調停バッファにおいてＧＵＩＤおよびＳＵＢＩＤが付加されたレコードとして管理されている当該ＩＣカードコマンドの発信元からの情報中のＧＵＩＤおよびＳＵＢＩＤに基づいて識別される発信元である該当するデスクランブル処理部に向けて、このＩＣカードコマンドに対応するＩＣカードレスポンスを供給するように構成されていることを特徴とする請求項２に記載のデジタル放送受信機。
【発明の詳細な説明】
【技術分野】
【０００１】
本発明は、デジタル放送受信システム、および、デジタル放送受信機、ならびに、増設チューナに関し、より詳細には、スクランブルがかけられた放送信号を受信してこのスクランブルが解除された放送を再生することができるデジタル放送受信システム、および、デジタル放送受信機、ならびに、増設チューナに関する。
【背景技術】
【０００２】
近年、デジタルテレビジョン放送では、多くの放送は、スクランブル（暗号）がかけられている。これはＣＡＳ（Conditional Access System）とも称呼される限定受信システムであって、有料放送のために考案されたものである。受信契約を締結した顧客のみがその放送を視聴でき、契約者以外は視聴できないように放送信号をスクランブルしておき、契約者（その受信機）にはこのスクランブルを解く暗号鍵が提供される（放送電波にのせて送信される）。
【０００３】
上述のようなＣＡＳを復号する暗号鍵を得て所望の放送番組を視聴するにはＩＣカードが必要である。即ち、日本でのＢＳデジタル放送、地上デジタル放送、１１０度ＣＳデジタル放送のＣＡＳであるＢ−ＣＡＳを視聴するにはＩＣカードとしてＢＣＡＳカードが必要であり、デジタルケーブルテレビのＣＡＳであるＣ−ＣＡＳを視聴するにはＣＣＡＳカードが必要である。
【０００４】
通常のデジタル放送受信機で、これらのＣＡＳを多画面で複数の放送番組を同時に受信をする場合や、裏番組録画などを行いたい場合には、複数のチューナが必要であるが、その場合、これら複数のチューナに夫々対応したＩＣカードが必要だった。
このような状況にあって、現在既に使用中のＩＣカードには別段改変を必要とせずに２台目以降の受信機においても同じＩＣカードを利用して同時にＣＡＳを受信できるようにする技術も既に提案されている。
【０００５】
この提案は、受信機に自己の内部のデスクランブラと接続されて外部と通信を行う送受信インターフェースと外部の他の受信機と接続するためのブリッジ端子とを設け、この送受信インターフェースを通して供給されるＣＡＳ情報またはブリッジ端子を介して供給される他の受信機からのＣＡＳ情報を、選択的に自己のＩＣカード端子に接続されたＩＣカードに供給し、供給に応答してＩＣカードから出力される応答信号をブリッジ端子を介して当該他の受信機に供給することができるようにして、単一のＩＣカードを双方の受信機で共通に機能せしめようとするものである（特許文献１参照）。
【０００６】
また一方、デジタル放送受信機で、ユーザーが視聴しているメディアとは別のメディアを視聴したり、同じメディアの裏番組を録画したり２画面表示で視聴したりする場合には、デジタル放送受信機本体に対してこれに適合するチューナユニットを接続し、該接続されたチューナユニットに対応して設けられたデジタル放送受信機本体内の第２の系統の処理系を用いて当該別のメディアや裏番組の再生を行うようにした技術が開示されている（特許文献２参照）。
【特許文献１】特開２００５−０７９８６０号公報（段落０００９〜段落００１１、図３）
【特許文献２】特開２００３−３１９３６１号公報（段落０００５、図４）
【発明の開示】
【発明が解決しようとする課題】
【０００７】
しかしながら、上述した特許文献１および特許文献２所載の技術では、デジタル放送受信機にチューナユニットを増設したり、或いは、他のもう一台のデジタル放送受信機を接続して、デジタル放送受信機内に備えられたＩＣカードをそれら増設したチューナユニットや増設受信機に共通に用い得るように構成する場合、増設を予定した数に相応した数のバッファや接続部が必要になり構成が複雑になる。
【０００８】
換言すれば、予め設定されたバッファや接続部の数によって、増設可能なチューナの数が規定されるため、ユーザーが所望に応じて増設の数を選択するといったことは許容されない。
本発明は上述のような状況に鑑みてなされたものであり、回路部の構成を変えずに増設チューナ（そのチューナ部）の数を選択できる余地があり、適用されたＩＣカードに対するアクセスが速やかに且つ的確になされ得るデジタル放送受信機、および、これに適用する増設チューナ、ならびに、これらによるデジタル放送受信システムを提供することを目的としている。
【課題を解決するための手段】
【０００９】
上記課題を解決するべく、本願では次に列記するような技術を提案する。
（１）デジタル放送を受信し適用された表示器に該受信されたデジタル放送に係る表示を行うデジタル放送受信機と、前記デジタル放送受信機に適用される増設チューナとを含んで構成されるデジタル放送受信システムであって、
前記デジタル放送受信機および前記増設チューナは相互に通信を行うために接続可能な各対応する一の高速シリアルインターフェース部および他の高速シリアルインターフェース部を有し、
前記増設チューナは、テレビジョン信号を受信して該受信された信号からスクランブルが掛けられたトランスポートストリームを得るチューナ部と、前記チューナ部で得たトランスポートストリームからＥＣＭおよびＥＭＭを分離するデータ分離部と、前記データ分離部で分離されたＥＣＭおよびＥＭＭに基づいてＩＣカードコマンドを生成し、該ＩＣカードコマンドを前記他の高速シリアルインターフェース部および一の高速シリアルインターフェース部を通して前記デジタル放送受信機に適用されたＩＣカードに供給し、該ＩＣカードコマンドの供給に応じてＩＣカードから発せられる所定の暗号鍵を含むＩＣカードレスポンスを前記一の高速シリアルインターフェース部および他の高速シリアルインターフェース部を通して受け、該ＩＣカードレスポンス中の暗号鍵を抽出して出力する増設チューナ側のシステムコントローラと、当該暗号鍵の供給を受けて前記チューナ部で得たトランスポートストリームにスクランブル解除処理を施しスクランブルが解除されたトランスポートストリームを生成するデスクランブル処理部と、を備え、
前記デジタル放送受信機は、テレビジョン信号を受信して該受信された信号からスクランブルが掛けられたトランスポートストリームを得るチューナ部と、前記チューナ部で得たトランスポートストリームからＥＣＭおよびＥＭＭを分離するデータ分離部と、前記データ分離部で得たＥＣＭおよびＥＭＭに基づいてＩＣカードコマンドを生成し、該ＩＣカードコマンドを該当するＩＣカードに供給し、該ＩＣカードコマンドの供給に応じて前記ＩＣカードから発せられる所定の暗号鍵を含むＩＣカードレスポンス中の暗号鍵をデスクランブル処理部に供給し、前記デスクランブル処理部で該暗号鍵を用いて前記チューナ部で得たトランスポートストリームにスクランブル解除処理を施しスクランブルが解除されたトランスポートストリームを生成させるシステムコントローラと、を備え、且つ、前記システムコントローラは、前記増設チューナ側のシステムコントローラから前記他の高速シリアルインターフェース部および一の高速シリアルインターフェース部を通して供給されるＩＣカードコマンドと、前記データ分離部で得たＥＣＭおよびＥＭＭに基づいて自己の内部で生成されるＩＣカードコマンドとを調停して一時的に保持するためのＩＣカードコマンド調停バッファが設定されており、該調停に応じて、該当するＩＣカードコマンドを前記ＩＣカードに供給し、該ＩＣカードコマンドの供給に応じて前記ＩＣカードから発せられる所定の暗号鍵を含むＩＣカードレスポンスを当該デジタル放送受信機側のデスクランブル処理部または前記増設チューナ側のシステムコントローラに向けて選択的に供給するように構成されていることを特徴とするデジタル放送受信システム。
【００１０】
上記（１）のデジタル放送受信システムでは、デジタル放送受信機および増設チューナが高速シリアルインターフェース部によって接続されてシステムが構成され、デジタル放送受信機および増設チューナの双方に、テレビジョン信号を受信して該受信された信号からスクランブルが掛けられたトランスポートストリームを得るチューナ部と、チューナ部で得たトランスポートストリームからＥＣＭおよびＥＭＭを分離するデータ分離部と、該分離されたＥＣＭおよびＥＭＭに基づいてＩＣカードコマンドを生成する例えばマイクロプロセッサを含んで構成されるシステムコントローラとが備えられる。
【００１１】
増設チューナ側のシステムコントローラで生成されたＩＣカードコマンドは高速シリアルインターフェース部を通してデジタル放送受信機側のシステムコントローラ経由でデジタル放送受信機に装着されたＩＣカードに供給され、この供給に応答してＩＣカードからＩＣカードレスポンスが返される。
このＩＣカードレスポンスは再び高速シリアルインターフェース部を通して増設チューナ側のシステムコントローラに入力され、入力されたＩＣカードレスポンスから暗号鍵が抽出されて増設チューナ側のデスクランブル処理部に供給される。
【００１２】
このデスクランブル処理部では供給された暗号鍵を用いて増設チューナ側のチューナ部で得たスクランブルがかけられたトランスポートストリームにスクランブル解除処理を施しスクランブルが解除されたトランスポートストリームを生成する。
このように生成されたトランスポートストリームは高速シリアルインターフェース部を通してデジタル放送受信機側に供給され、表示器での表示に供される。
【００１３】
一方、デジタル放送受信機側のシステムコントローラは、増設チューナ側のシステムコントローラから高速シリアルインターフェース部を通して供給されるＩＣカードコマンドと、デジタル放送受信機側のデータ分離部で得たＥＣＭおよびＥＭＭに基づいて自己の内部で生成されるＩＣカードコマンドとを調停して一時的に保持するためのＩＣカードコマンド調停バッファが設定されており、該調停に応じて、該当するＩＣカードコマンドをＩＣカードに供給し、ＩＣカードコマンドの供給に応じてこのＩＣカードから発せられる所定の暗号鍵を含むＩＣカードレスポンスをデジタル放送受信機側のデスクランブル処理部または増設チューナ側のシステムコントローラに向けて選択的に供給する。
【００１４】
デジタル放送受信機側のシステムコントローラによる処理手順を選択することにより回路部の構成を変えずに増設チューナ（そのチューナ部）の数を選択できる余地があり、また、上述のような調停動作によって適用されたＩＣカードに対するアクセスが速やかに且つ的確になされ得る。
【００１５】
（２）自己の一の高速シリアルインターフェース部に適合する他の高速シリアルインターフェース部を有し自己のチューナ部およびデスクランブル処理部を有する増設チューナを接続可能になされ前記一の高速シリアルインターフェース部および他の高速シリアルインターフェース部が接続されたときにこれらの高速シリアルインターフェース部を通して前記増設チューナと相互に通信を行うことが可能に構成されたデジタル放送受信機であって、
テレビジョン信号を受信して該受信された信号からスクランブルが掛けられたトランスポートストリームを得るチューナ部と、前記チューナ部で得たトランスポートストリームからＥＣＭおよびＥＭＭを分離するデータ分離部と、前記データ分離部で得たＥＣＭおよびＥＭＭに基づいてＩＣカードコマンドを生成し、該ＩＣカードコマンドを該当するＩＣカードに供給し、該ＩＣカードコマンドの供給に応じて前記ＩＣカードから発せられる所定の暗号鍵を含むＩＣカードレスポンス中の暗号鍵をデスクランブル処理部に供給し、前記デスクランブル処理部で該暗号鍵を用いて前記チューナ部で得たトランスポートストリームにスクランブル解除処理を施しスクランブルが解除されたトランスポートストリームを生成させるシステムコントローラと、を備え、且つ、前記システムコントローラは、前記増設チューナ側のシステムコントローラから前記他の高速シリアルインターフェース部および一の高速シリアルインターフェース部を通して供給されるＩＣカードコマンドと、前記データ分離部で得たＥＣＭおよびＥＭＭに基づいて自己の内部で生成されるＩＣカードコマンドとを調停して一時的に保持するためのＩＣカードコマンド調停バッファが設定されており、該調停に応じて、該当するＩＣカードコマンドを前記ＩＣカードに供給し、該ＩＣカードコマンドの供給に応じて前記ＩＣカードから発せられる所定の暗号鍵を含むＩＣカードレスポンスを当該デジタル放送受信機側のデスクランブル処理部または前記増設チューナ側に向けて選択的に供給するように構成されていることを特徴とするデジタル放送受信機。
【００１６】
上記（２）のデジタル放送受信機では、高速シリアルインターフェース部によって接続された増設チューナ側のシステムコントローラで生成されたＩＣカードコマンドが高速シリアルインターフェース部を通して自己のシステムコントローラ経由で適用されたＩＣカードに供給され、この供給に応答してＩＣカードから出力されるＩＣカードレスポンスが再び高速シリアルインターフェース部を通して増設チューナ側のシステムコントローラに入力され、入力されたＩＣカードレスポンスから暗号鍵が抽出されて増設チューナ側のデスクランブル処理部に供給される。
【００１７】
増設チューナ側でこのようにデスクランブル処理されたトランスポートストリームが高速シリアルインターフェース部経由でデジタル放送受信機側に供給され、表示器での表示に供される。
上記自己の（即ち、デジタル放送受信機側の）システムコントローラは、増設チューナ側のシステムコントローラから高速シリアルインターフェース部を通して供給されるＩＣカードコマンドと、デジタル放送受信機側のデータ分離部で得たＥＣＭおよびＥＭＭに基づいて自己の内部で生成されるＩＣカードコマンドとを調停して一時的に保持するためのＩＣカードコマンド調停バッファが設定されており、該調停に応じて、該当するＩＣカードコマンドをＩＣカードに供給し、ＩＣカードコマンドの供給に応じてこのＩＣカードから発せられる所定の暗号鍵を含むＩＣカードレスポンスをデジタル放送受信機側のデスクランブル処理部または増設チューナ側のシステムコントローラに向けて選択的に供給する。
デジタル放送受信機側のシステムコントローラによる処理手順を選択することにより回路部の構成を変えずに増設チューナ（そのチューナ部）の数を選択できる余地があり、また、上述のような調停動作によって適用されたＩＣカードに対するアクセスが速やかに且つ的確になされ得る。
【００１８】
（３）自己が適合するデジタル放送受信機の一の高速シリアルインターフェース部に適合する他の高速シリアルインターフェース部を有し、前記一の高速シリアルインターフェース部および他の高速シリアルインターフェース部が接続されたときにこれらの高速シリアルインターフェース部を通して前記デジタル放送受信機と相互に通信を行うことが可能に構成された増設チューナであって、
テレビジョン信号を受信して該受信された信号からスクランブルが掛けられたトランスポートストリームを得るチューナ部と、前記チューナ部で得たトランスポートストリームからＥＣＭおよびＥＭＭを分離するデータ分離部と、前記データ分離部で分離されたＥＣＭおよびＥＭＭに基づいてＩＣカードコマンドを生成し、該ＩＣカードコマンドを前記他の高速シリアルインターフェース部および一の高速シリアルインターフェース部を通して前記デジタル放送受信機に適用されたＩＣカードに供給し、該ＩＣカードコマンドの供給に応じてＩＣカードから発せられる所定の暗号鍵を含むＩＣカードレスポンスを前記一の高速シリアルインターフェース部および他の高速シリアルインターフェース部を通して受け、該ＩＣカードレスポンス中の暗号鍵を抽出して出力する増設チューナ側のシステムコントローラと、当該暗号鍵の供給を受けて前記チューナ部で得たトランスポートストリームにスクランブル解除処理を施しスクランブルが解除されたトランスポートストリームを生成するデスクランブル処理部と、を備えていることを特徴とする増設チューナ。
【００１９】
上記（３）の増設チューナでは、自己のシステムコントローラで生成されたＩＣカードコマンドが高速シリアルインターフェース部を通してデジタル放送受信機側のシステムコントローラ経由でデジタル放送受信機に装着されたＩＣカードに供給され、この供給に応答してＩＣカードからＩＣカードレスポンスが返される。このＩＣカードレスポンスは再び高速シリアルインターフェース部を通して自己の（即ち、増設チューナ側の）システムコントローラに入力され、入力されたＩＣカードレスポンスから暗号鍵が抽出されて増設チューナ側のデスクランブル処理部に供給される。
【００２０】
このデスクランブル処理部では供給された暗号鍵を用いて増設チューナ側のチューナ部で得たスクランブルがかけられたトランスポートストリームにスクランブル解除処理を施しスクランブルが解除されたトランスポートストリームを生成する。このように生成されたトランスポートストリームは高速シリアルインターフェース部を通してデジタル放送受信機側に供給され、表示器での表示に供される。
【００２１】
（４）前記デジタル放送受信機のシステムコントローラは、前記ＩＣカードコマンドの調停処理を実行するためのＩＣカードコマンド調停プログラムに基づいて作動し得るようになされ、前記ＩＣカードコマンド調停プログラムは、前記ＩＣカードコマンド調停バッファへの書き込みに関する割り込みが発生したときに、当該ＩＣカードが自己へのＩＣカードコマンドの供給を受けて該供給に応答してＩＣカードレスポンスを発するに至らない期間を除いて、当該ＩＣカードコマンドを一時保持し、前記ＩＣカードコマンド調停バッファにおいてＧＵＩＤおよびＳＵＢＩＤが付加されたレコードとして管理されている当該ＩＣカードコマンドの発信元からの情報中のＧＵＩＤおよびＳＵＢＩＤに基づいて識別される発信元である該当するデスクランブル処理部に向けて、このＩＣカードコマンドに対応するＩＣカードレスポンスを供給するように構成されていることを特徴とする（１）のデジタル放送受信システム。
【００２２】
上記（４）のデジタル放送受信システムでは、上記（１）のデジタル放送受信システムにおいて、特に、デジタル放送受信機のシステムコントローラは、ＩＣカードコマンドの調停処理を実行するためのＩＣカードコマンド調停プログラムに基づいて作動し得るようになされている。
【００２３】
このＩＣカードコマンド調停プログラムは、ＩＣカードコマンド調停バッファへの書き込みに関する割り込みが発生したときに、当該ＩＣカードが自己へのＩＣカードコマンドの供給を受けて該供給に応答してＩＣカードレスポンスを発するに至らない期間を除いて、当該ＩＣカードコマンドを一時保持し、ＩＣカードコマンド調停バッファにおいてＧＵＩＤおよびＳＵＢＩＤが付加されたレコードとして管理されている当該ＩＣカードコマンドの発信元からの情報中のＧＵＩＤおよびＳＵＢＩＤに基づいて識別される発信元である該当するデスクランブル処理部（デジタル放送受信機側または増設チューナ側の何れかに備えられた、該識別結果に該当するデスクランブル処理部）に向けて、このＩＣカードコマンドに対応するＩＣカードレスポンスを供給する。
複数のチューナ（デスクランブル処理部）を適用する際にも、ＩＣカードコマンド調停プログラムに基づいてＩＣカードに対して適切なアクセスが行われ得、動作の円滑化が図られる。
【００２４】
（５）前記システムコントローラは、前記ＩＣカードコマンドの調停処理を実行するためのＩＣカードコマンド調停プログラムに基づいて作動し得るようになされ、前記ＩＣカードコマンド調停プログラムは、前記ＩＣカードコマンド調停バッファへの書き込みに関する割り込みが発生したときに、当該ＩＣカードが自己へのＩＣカードコマンドの供給を受けて該供給に応答してＩＣカードレスポンスを発するに至らない期間を除いて、当該ＩＣカードコマンドを一時保持し、前記ＩＣカードコマンド調停バッファにおいてＧＵＩＤおよびＳＵＢＩＤが付加されたレコードとして管理されている当該ＩＣカードコマンドの発信元からの情報中のＧＵＩＤおよびＳＵＢＩＤに基づいて識別される発信元である該当するデスクランブル処理部に向けて、このＩＣカードコマンドに対応するＩＣカードレスポンスを供給するように構成されていることを特徴とする（２）のデジタル放送受信機。
【００２５】
上記（５）のデジタル放送受信機では、上記（２）のデジタル放送受信機において、特に、システムコントローラは、ＩＣカードコマンドの調停処理を実行するためのＩＣカードコマンド調停プログラムに基づいて作動し得るようになされている。
このＩＣカードコマンド調停プログラムは、ＩＣカードコマンド調停バッファへの書き込みに関する割り込みが発生したときに、当該ＩＣカードが自己へのＩＣカードコマンドの供給を受けて該供給に応答してＩＣカードレスポンスを発するに至らない期間を除いて、当該ＩＣカードコマンドを一時保持し、ＩＣカードコマンド調停バッファにおいてＧＵＩＤおよびＳＵＢＩＤが付加されたレコードとして管理されている当該ＩＣカードコマンドの発信元からの情報中のＧＵＩＤおよびＳＵＢＩＤに基づいて識別される発信元である該当するデスクランブル処理部（デジタル放送受信機側または増設チューナ側の何れかに備えられた、該識別結果に該当するデスクランブル処理部）に向けて、このＩＣカードコマンドに対応するＩＣカードレスポンスを供給する。
【００２６】
複数のチューナ（デスクランブル処理部）を適用する際にも、ＩＣカードコマンド調停プログラムに基づいてＩＣカードに対して適切なアクセスが行われ得、動作の円滑化が図られる。
【発明を実施するための最良の形態】
【００２７】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのデジタル放送受信機およびこれに適合する増設チューナを含んで構成されたデジタル放送受信システムを表すブロック図である。
【００２８】
このデジタル放送受信システム１０００は、デジタル放送を受信し適用された表示器１５０に該受信されたデジタル放送に係る表示を行うデジタル放送受信機１１００と、デジタル放送受信機１１００に適用される増設チューナ１２００とを含んで構成され、デジタル放送受信機１１００および増設チューナ１２００は相互に通信を行うために接続可能な各対応する一の高速シリアルインターフェース部３１０および他の高速シリアルインターフェース部３２０（即ち、両者で一対の高速シリアルインターフェース部３００）を有する。
【００２９】
増設チューナ１２００は、テレビジョン信号を受信するためのアンテナ２１０と該受信された信号からスクランブルが掛けられたトランスポートストリームＴＳ（ｓｃ）を得るチューナ部２２０と、チューナ部２２０で得たトランスポートストリームのスクランブルを解除するための処理を行うデスクランブル処理部２３０と、トランスポートストリームからＥＣＭおよびＥＭＭを分離するデータ分離部２４０と、データ分離部２４０で分離されたＥＣＭおよびＥＭＭに基づいてＩＣカードコマンドＣＣを生成するシステムコントローラ２５０と、を含んで構成される。
【００３０】
この増設チューナ１２００側のシステムコントローラ２５０は、例えばマイクロプロセッサを主体に構成されるものであり、上述のＩＣカードコマンドＣＣを他の高速シリアルインターフェース部３２０および一の高速シリアルインターフェース部３１０を通してデジタル放送受信機１１００に適用されたＩＣカード（不図示のＩＣカードが装着されてこのＩＣカードとのデータの授受を行うＩＣカード読取り部１８０）に供給する。
【００３１】
更に、ＩＣカードコマンドＣＣの供給に応じてＩＣカードから発せられる所定の暗号鍵Ｋｓを含むＩＣカードレスポンスＣＲを一の高速シリアルインターフェース部３１０および他の高速シリアルインターフェース部３２０を通して受け、該ＩＣカードレスポンスＣＲ中の暗号鍵Ｋｓを抽出して出力する。
デスクランブル処理部２３０は、当該暗号鍵Ｋｓの供給を受けてチューナ部２２０で得たトランスポートストリームにスクランブル解除処理を施しスクランブルが解除されたトランスポートストリームＴＳを生成する。
【００３２】
図示の例では、チューナ部２２０にアンテナ２１０からの信号が入力されるように描かれているが、この入力は、ＢＳ、ＣＳ、地上デジタル、或いは、ケーブルデジタル等々のものであり得る。また、これらは、ＯＦＤＭ、８ＴＰＳＫ、６４ＱＡＭ等の変調がかけられたＲＦ信号である。このＲＦ信号がチューナ部２２０で選局、復調されデスクランブル処理部２３０でスクランブル解除処理が施され、ＭＰＥＧトランスポートストリームＴＳに変換される。
【００３３】
一方、デジタル放送受信機１１００は、テレビジョン信号を受信して該受信された信号からスクランブルが掛けられたトランスポートストリームＴＳ（ｓｃ）を得るチューナ部１２０と、チューナ部１２０で得たトランスポートストリームＴＳ（ｓｃ）からＥＣＭおよびＥＭＭを分離するデータ分離部１６０とを備えている、
更に、デジタル放送受信機１１００には、データ分離部１６０で得たＥＣＭおよびＥＭＭに基づいてＩＣカードコマンドＣＣを生成し、該ＩＣカードコマンドＣＣを該当するＩＣカードに供給し、このＩＣカードコマンドＣＣの供給に応じてＩＣカード（ＩＣカードが装着されたＩＣカード読取り部１８０）から発せられる所定の暗号鍵を含むＩＣカードレスポンスＣＲ中の暗号鍵Ｋｓをデスクランブル処理部１３０に供給し、このデスクランブル処理部１３０で該暗号鍵Ｋｓを用いてチューナ部１２０で得たトランスポートストリームにスクランブル解除処理を施しスクランブルが解除されたトランスポートストリームＴＳを生成させる、例えばマイクロプロセッサを主体に構成されるシステムコントローラ１７０が備えられている。
【００３４】
このシステムコントローラ１７０には、増設チューナ１２００側から他の高速シリアルインターフェース部３２０および一の高速シリアルインターフェース部３１０を通して供給されるＩＣカードコマンドＣＣと、データ分離部１６０で得たＥＣＭおよびＥＭＭに基づいて自己の内部で生成されるＩＣカードコマンドＣＣとを調停して一時的に保持するためのＩＣカードコマンド調停バッファ１７５（図２を参照して後述する）が設定されており、該調停に応じて、該当するＩＣカードコマンドＣＣをＩＣカード１８１に供給し、ＩＣカードコマンドＣＣの供給に応じてＩＣカードから発せられる所定の暗号鍵Ｋｓを含むＩＣカードレスポンスＣＲをデジタル放送受信機１１００側のデスクランブル処理部１３０または増設チューナ１２００側のシステムコントローラ２５０に向けて選択的に供給するように構成されている。
【００３５】
上述の構成において、デスクランブル処理部１３０から出力されるスクランブルが解除された出力であるトランスポートストリームＴＳはＭＰＥＧ復号部１４０に供給され、ここで映像の表示に適合する信号ＲＧＢに変換されて、該変換された信号ＲＧＢが、映像の表示のために適用された表示器１５０に供給されて、ここで映像の表示が行われる。
尚、増設チューナ１２００側のデスクランブル処理部２３０で得られたトランスポートストリームＴＳは、高速シリアルインターフェース部３２０を通してＡＶＨＤＤ１３００に供給され、増設チューナ１２００によって取得される裏番組の記録等が行われる。
【００３６】
一の高速シリアルインターフェース部３１０および他の高速シリアルインターフェース部３２０（即ち、両者で一対の高速シリアルインターフェース部３００）に適用されるデータ転送の形態としてはIEEE1394またはEthernet（登録商標）を適用する。
これらの高速シリアルインターフェースによれば一対多のインターフェースが容易に構築できる。
【００３７】
このような高速シリアルインターフェースにＩＣカードコマンドを通す場合には、パケット化した形に変換して送出し、受信側でパケット化を解いて復元する。これらの変換処理はこの高速シリアルインターフェース部を通して転送される各信号（データ）について同様に行われる。図１では、このようなパケット化した形の各信号（データ）について、それらの各信号（データ）を表す記号として末尾に「（ｐ）」を添えた表記をしている。
【００３８】
上述において、暗号鍵Ｋｓを含むＩＣカードレスポンスＣＲは、供給されたＥＣＭに基づくＩＣカードコマンドＣＣに応じて出力される。一方、ＥＭＭは、ユーザーが契約局を増やす手続き（放送局または所定の中間団体に電話でＩＤを伝える等する）を行うと放送局側から放送電波にのせて送信されてアンテナで受信され、当該増設に係る局の放送が視聴できるようになるものであり、一度そのＥＭＭをＩＣカードに与えると、その後は、取り消しのためのＥＭＭが受信されることが無い限り、その増設局の放送が視聴できる状態が維持される。
【００３９】
以上に説明した実施の形態では、デジタル放送受信機側のシステムコントローラによる処理手順を選択することにより回路部の構成を変えずに増設チューナ（そのチューナ部）の数を選択できる余地があり、また、上述のような調停動作によって適用されたＩＣカードに対するアクセスが速やかに且つ的確になされ得る。
図２は、図１のデジタル放送受信機に適用されるシステムコントローラについて説明するための概念図である。この図２では、システムコントローラ１７０内でのＩＣカードコマンドに係る処理を表しており、図１においてはその表示が省略されたＩＣカードも本図では参照符号１８１を附して示されている。
【００４０】
以下には、既述の図１に加え、適宜、図２をも参照して、本発明の実施の形態について更に詳述する。
システムコントローラ１７０では、デジタル放送受信機１１００の内部のチューナ部１２０およびデータ分離部１６０を通して出力されるＥＣＭおよびＥＭＭに基づいて当該システムコントローラ１７０内で形成されるＩＣカードコマンド（図２では「内部チューナのＩＣカードコマンド」と表記）と、増設チューナ１２００から既述のようにして形成され高速シリアルインターフェース部３００を通して供給されるＩＣカードコマンド（図２では「増設チューナのＩＣカードコマンド」と表記）との、複数系統のＩＣカードコマンドが夫々峻別されて正規の手順で調停処理されることが必要とされる。
【００４１】
このため、本実施の形態では、これら夫々のＩＣカードコマンドを各別に一時的に保持するためのＩＣカードコマンド調停バッファ１７５が設定されている。このデジタル放送受信機のシステムコントローラ１７０は、ＩＣカードコマンドの調停処理を実行するためのＩＣカードコマンド調停プログラム１７６に基づいて作動し得るようになされている。
このＩＣカードコマンド調停プログラム１７６は、ＩＣカードコマンド調停バッファ１７５への書き込みに関する割り込みが発生したときに、当該ＩＣカードが自己へのＩＣカードコマンドの供給を受けて該供給に応答してＩＣカードレスポンスを発するに至らない期間を除いて、当該ＩＣカードコマンドを一時保持し、ＩＣカードコマンド調停バッファ１７５においてＧＵＩＤおよびＳＵＢＩＤが付加されたレコードとして管理されている当該ＩＣカードコマンドの発信元からの情報中のＧＵＩＤおよびＳＵＢＩＤに基づいて識別される発信元である該当するデスクランブル処理部（デジタル放送受信機側または増設チューナ側の何れかに備えられた、該識別結果に該当するデスクランブル処理部）に向けて、このＩＣカードコマンドに対応するＩＣカードレスポンスを供給する。
【００４２】
尚、図２では、概念的理解の便宜上、デジタル放送受信機１１００側のデスクランブル処理部へ向けてのＩＣカードレスポンスを「内部チューナへのＩＣカードレスポンス」と表記し、増設チューナ１２００のデスクランブル処理部へ向けてのＩＣカードレスポンスを「外部チューナへのＩＣカードレスポンス」と表記している。
図３は、図２のバッファに保持されるデータの形式を表す図である。既述のとおり、ＩＣカードコマンドは峻別して管理する。夫々のＩＣカードコマンドに対応するＩＣカードレスポンスは、正規の転送先（ＩＣカードコマンドの発信元）に送信する必要があることから、何れのチューナ機能部（デジタル放送受信機本体または増設チューナ）から到来したＩＣカードコマンドであるのかを判別する必要がある。
【００４３】
そこで、増設チューナの各々についてそれらのインターフェース部には固有のアドレス（ＭＡＣアドレス、ＧＵＩＤ）が付与されていることを利用する。一つのインターフェース部に対して、複数のチューナ部を対応させる（増設チューナが複数のチューナ部を実装している）ように構成することも可能であり、このような場合には、上述のＧＵＩＤにサブＩＤ（ＳＵＢＩＤ）を付加して管理することができる。
【００４４】
ＩＣカードコマンド調停プログラム１７６に関しては、内部チューナ（デジタル放送受信機１１０内に実装されたチューナ部）からのアクセス要求も、外部チューナ（増設チューナ内に実装されたチューナ部）からのアクセス要求も、一義的にGUID+SUBID+コマンドという形でアクセス要求を行う。
図４は、図１および図２のシステムコントローラに適用されるＩＣカードコマンド調停プログラムによる動作（ＩＣカードコマンド調停バッファに対する書き込みの発生に応答する動作）を説明するフローチャートである。
【００４５】
ＩＣカードコマンド調停バッファ１７５に対する書き込みの発生を待機し（Ｓ４０１：Ｎｏ）、書き込みが発生すると（Ｓ４０１：Ｙｅｓ）、次いで、ＩＣカードがアクセス中（Busy：システムコントローラ１７０がＩＣカード１８１にＩＣカードコマンドＣＣを投げて、これに対するＩＣカードレスポンスＣＲが返ってくるまでの期間）か否かを判別する（Ｓ４０２）。
【００４６】
ステップＳ４０２で、ＩＣカードがアクセス中（Busy）でないと判別されたときには（Ｓ４０２：Ｎｏ）、該当するＩＣカードコマンドが書き込まれる（Ｓ４０３）。
ステップＳ４０２でＩＣカードがアクセス中（Busy）であると判別されたときには（Ｓ４０２：Ｎｏ）この処理を終了する。
図５は、図１および図２のシステムコントローラに適用されるＩＣカードコマンド調停プログラムによる動作（ＩＣカードレスポンスに関する動作）を説明するフローチャートである。
【００４７】
ＩＣカードレスポンスＣＲの発生を待機し（Ｓ５０１：Ｎｏ）、ＩＣカードレスポンスＣＲが発生すると（Ｓ５０１：Ｙｅｓ）、図３を参照して説明したようにＧＵＩＤおよびＳＵＢＩＤが付加されたレコードとして管理されている当該ＩＣカードコマンドの発信元からの情報中のＧＵＩＤおよびＳＵＢＩＤに基づいて、これらから識別される発信元である該当するデスクランブル処理部（デジタル放送受信機側または増設チューナ側の何れかに備えられた、該識別結果に該当するデスクランブル処理部）に向けて、このＩＣカードコマンドに対応するＩＣカードレスポンスを供給する（Ｓ５０２）。
【００４８】
次いで、ステップＳ５０２でＩＣカードレスポンスを供給した当該供給先（即ち、上述のようなレコードとして管理されている当該ＩＣカードコマンドの発信元）に関する１つのレコードを削除する（Ｓ５０３）。
ステップＳ５０３でレコードを削除した状態で、ＩＣカード調停バッファ１７５に未だＩＣカードコマンドが残っているか否かを判別し（Ｓ５０４）、ＩＣカード調停バッファ１７５に未だＩＣカードコマンドが残っていると判別されたときには（Ｓ５０４：Ｙｅｓ）、残っているＩＣカードコマンドをＩＣカード１８１に供給して（Ｓ５０５）、この処理を終了する。
【００４９】
一方、ステップＳ５０４でＩＣカードコマンドが残っていないと判別されたときには（Ｓ５０４：Ｎｏ）、そのままこの処理を終了する。
以上説明した実施の形態によれば、回路の変更なしに、増設チューナの数を増やすことが出来る。
ところで、本実施の形態のシステムでは、特に、デジタル放送受信機１１００側にこの受信機１００に対応するリモコンからのリモートコントロール信号（赤外線の信号）を受けるための受信機能部（本例では赤外線信号の受光部であり「Ｉｒリモコン受光部」と表記）５００が設けられている。
【００５０】
このＩｒリモコン受光部５００によって受信されたリモートコントロール信号ＲＣＣはシステムコントローラ１７０に供給され、該供給されたリモートコントロール信号ＲＣＣに応じ表示器１５０に表示がなされる。この表示の一例では、画面上に複数のボタン表示が行われ、リモコンを操作するユーザーは、矢印キーの操作によってカーソルを移動させる等して何れかのボタンを選択し、エンターキーによって選択されたボタンの操作を実行させる。
【００５１】
例えば、ＰＰＶ（Pay Per View：特定のプログラム（番組）単位で課金される有料コンテンツ）の視聴に際して、購入確認の画面が表示器１５０に出されたときに、上述のようにしてリモコン操作によって購入ボタンを選択し、そこでエンターキーを押すことによって、そのコンテンツの購入手続きが実行される。
上述のようにして購入確認の画面が表示器１５０に表示され、この画面へのリモコン操作を行うといったＰＰＶ用のユーザーインターフェースは、主として、増設チューナ１２００側のシステムコントローラ２５０によって賄われる。
【００５２】
即ち、Ｉｒリモコン受光部５００によって受信されたリモートコントロール信号ＲＣＣは、デジタル放送受信機１１００側のシステムコントローラ１７０を介して、高速シリアルインターフェース部３００を、一旦、パケット化した形のデータＲＣＣ（ｐ）として通り、パケット化が解除された形のデータＲＣＣに復されてから、増設チューナ１２００側のシステムコントローラ２５０に供給される。
【００５３】
システムコントローラ２５０から表示器１５０での表示を行うためのビットマップコードＢＭＣが発せられ、このビットマップコードＢＭＣが、高速シリアルインターフェース部３００を既述のようなパケット化した形のデータＢＭＣ（ｐ）としてデジタル放送受信機１１００側に伝送され、パケット化が解除された形のデータＢＭＣに復されてから、システムコントローラ１７０に供給され、この供給に応じたシステムコントローラ１７０の出力によって、表示器１５０に所定の表示が行われる。尚、図１では、このようなシステムコントローラ１７０から表示器１５０への表示用の信号の系統は図示が省略されている。
【図面の簡単な説明】
【００５４】
【図１】本発明の実施の形態としてのデジタル放送受信機およびこれに適合する増設チューナを含んで構成されたデジタル放送受信システムを表すブロック図である。
【図２】図１のデジタル放送受信機に適用されるシステムコントローラについて説明するための概念図である。
【図３】図２のバッファに保持されるデータの形式を表す図である。
【図４】図１および図２のシステムコントローラに適用されるＩＣカードコマンド調停プログラムによる動作（ＩＣカードコマンド調停バッファに対する書き込みの発生に応答する動作）を説明するフローチャートである。
【図５】図１および図２のシステムコントローラに適用されるＩＣカードコマンド調停プログラムによる動作（ＩＣカードレスポンスに関する動作）を説明するフローチャートである。
【符号の説明】
【００５５】
１１０…アンテナ  １２０…チューナ部  １３０…デスクランブル処理部  １４０…ＭＰＥＧ復号部  １５０…表示器  １６０…データ分離部  １７０…システムコントローラ  １７１…ＥＣＭバッファ  １７５…ＩＣカードコマンド調停バッファ  １７６…ＩＣカードコマンド調停プログラム  １８０…ＩＣカード読取り部  １８１…ＩＣカード  １９０…ＭＰＥＧ復号部    ２１０…アンテナ  ２２０…チューナ部  ２３０…デスクランブル処理部  ２４０…データ分離部  ２５０…システムコントローラ  ３００…高速シリアルインターフェース部  ３１０…一の高速シリアルインターフェース部  ３２０…他の高速シリアルインターフェース部  ５００…Ｉｒリモコン受光部  １０００…デジタル放送受信システム  １１００…デジタル放送受信機  １２００…増設チューナ
【図１】
2007201677.tif 000003
【図２】
2007201677.tif 000004
【図３】
2007201677.tif 000005
【図４】
2007201677.tif 000006
【図５】
2007201677.tif 000007